(57)【要約】      （修正有）【課題】過電圧保護素子を追加することなく、サージによる過大電圧に対する耐量を上げた電源装置を提供する。【解決手段】交流電源１００から入力された電圧を整流する整流部３０２と、整流部３０２により整流された電圧を平滑する平滑部３０３と、平滑部３０３により平滑された電圧が入力され、スイッチング動作を行うことにより負荷に電力を供給する駆動部３０４と、駆動部３０４を制御するＣＰＵ２０１と、交流電源１００から入力された電圧を検出する入力電圧検出部４０１と、を備える。ＣＰＵ２０１は、駆動部３０４が停止している状態において、入力電圧検出部４０１により検出した電圧が所定の電圧を超えた場合に、駆動部３０４のスイッチング動作を開始させる。【選択図】図２
2018160965.tif 000002
【特許請求の範囲】
【請求項１】
交流電源から入力された電圧を整流する整流部と、
前記整流部により整流された電圧を平滑する平滑部と、
前記平滑部により平滑された電圧が入力され、スイッチング動作を行うことにより負荷に電力を供給する駆動部と、
前記駆動部を制御する制御手段と、
前記交流電源から入力された電圧を検出する電圧検出部と、
を備え、
前記制御手段は、前記駆動部が停止している状態において、前記電圧検出部により検出した電圧が所定の電圧を超えた場合に、前記駆動部のスイッチング動作を開始させることを特徴とする電源装置。
【請求項２】
前記制御手段は、前記駆動部のスイッチング動作を開始させてから所定時間が経過した後に前記駆動部のスイッチング動作を停止させることを特徴とする請求項１に記載の電源装置。
【請求項３】
前記平滑部は、容量素子を有し、
前記所定時間は、前記容量素子に充電された電圧が放電されるために要する時間に応じて決定されることを特徴とする請求項２に記載の電源装置。
【請求項４】
前記電圧検出部により検出した電圧が前記所定の電圧を超えた回数を計測する計測部を備え、
前記制御手段は、所定の時間内に前記計測部によって計測された回数が、予め定めた回数を超えた場合には、前記駆動部のスイッチング動作を開始させず、前記所定の時間内に前記計測部により計測された回数が前記予め定めた回数以下となった場合には、前記駆動部のスイッチング動作を開始させることを特徴とする請求項１から請求項３のいずれか１項に記載の電源装置。
【請求項５】
前記制御手段は、前記駆動部を動作可能とするための信号を前記駆動部に出力しており、前記信号に基づいて前記駆動部が停止しているか否かを判断することを特徴とする請求項１から請求項４のいずれか１項に記載の電源装置。
【請求項６】
前記交流電源から入力された電流を検出する電流検出部を備え、
前記制御手段は、前記電流検出部による検出結果に基づいて、前記駆動部が停止しているか否かを判断することを特徴とする請求項１から請求項４のいずれか１項に記載の電源装置。
【請求項７】
記録材上の未定着のトナーを定着させる定着器を備える画像形成装置であって、
交流電源から入力された電圧を整流する整流部と、
前記整流部により整流された電圧を平滑する平滑部と、
前記平滑部により平滑された電圧が入力され、スイッチング動作を行うことにより前記定着器に電力を供給する駆動部と、
前記駆動部を制御する制御手段と、
前記交流電源から入力された電圧を検出する電圧検出部と、
を備え、
前記制御手段は、前記駆動部が停止している状態において、前記電圧検出部により検出した電圧が所定の電圧を超えた場合に、前記駆動部のスイッチング動作を開始させることを特徴とする画像形成装置。
【請求項８】
前記制御手段は、前記駆動部のスイッチング動作を開始させてから所定時間が経過した後に前記駆動部のスイッチング動作を停止させることを特徴とする請求項７に記載の画像形成装置。
【請求項９】
前記平滑部は、容量素子を有し、
前記所定時間は、前記容量素子に充電された電圧が放電されるために要する時間に応じて決定されることを特徴とする請求項８に記載の画像形成装置。
【請求項１０】
前記定着器は、温度検知手段を備え、
前記制御手段は、前記温度検知手段により検知した温度が所定の温度を超えないような範囲となるように前記所定時間を設定することを特徴とする請求項８に記載の画像形成装置。
【請求項１１】
前記電圧検出部により検出した電圧が前記所定の電圧を超えた回数を計測する計測部を備え、
前記制御手段は、所定の時間内に前記計測部によって計測された回数が、予め定めた回数を超えた場合には、前記駆動部のスイッチング動作を開始させず、前記所定の時間内に前記計測部により計測された回数が前記予め定めた回数以下となった場合には、前記駆動部のスイッチング動作を開始させることを特徴とする請求項７から請求項１０のいずれか１項に記載の画像形成装置。
【請求項１２】
前記制御手段は、前記駆動部を動作可能とするための信号を前記駆動部に出力しており、前記信号に基づいて前記駆動部が停止しているか否かを判断することを特徴とする請求項７から請求項１１のいずれか１項に記載の画像形成装置。
【請求項１３】
前記交流電源から入力された電流を検出する電流検出部を備え、
前記制御手段は、前記電流検出部による検出結果に基づいて、前記駆動部が停止しているか否かを判断することを特徴とする請求項７から請求項１１のいずれか１項に記載の画像形成装置。
【請求項１４】
前記定着器は、誘導加熱定着器であることを特徴とする請求項７から請求項１１のいずれか１項に記載の画像形成装置。
【発明の詳細な説明】
【技術分野】
【０００１】
本発明は、電源装置及び画像形成装置に関する。
【背景技術】
【０００２】
近年、商用の交流電源から電力が供給されることにより動作する電子機器において、雷サージ等の高電圧から電子機器を保護する構成が求められている。雷サージ等の高電圧から電子機器を保護する保護手段として、例えばバリスタやサージアブソーバのように、印加電圧によって抵抗値が変化する対サージ用の保護素子を用いることが一般的である。また、雷サージを含む過大電圧が印加されたときの、機器の保護動作の構成として、例えば、次のような構成がある。誘導加熱調理器の電源回路において、過度に高い電圧を受けたとき、電源回路のインバータ回路を停止させ、かつ交流電源に接続されたライン上のリレーを遮断するものがある（例えば、特許文献１参照）。これにより、雷サージから電源回路のインバータ回路を保護している。
【先行技術文献】
【特許文献】
【０００３】
【特許文献１】特開２００８−１３５３１９号公報
【発明の概要】
【発明が解決しようとする課題】
【０００４】
従来の構成の場合、サージを受けた際にインバータ回路を停止させ、かつ整流器の前段を商用の交流電源から遮断することで、電源の構成部品を保護することを目的としている。しかしながら、サージによって整流器の後段に接続されているフィルタの容量成分に対して過大電圧が充電されてしまった場合、インバータ回路が停止状態になったとしても、この充電電圧によって整流素子が破壊されてしまうおそれがある。また、バリスタ等の過電圧保護素子を用いるという方法も存在するが、素子数が増加することによるコストアップという課題がある。１次側のライン間に放電抵抗を備える構成も考えられるが、過大電圧の放電時間を短縮するためには放電抵抗の抵抗値を小さくする必要があるため、通常動作における損失が増加するという課題がある。
【０００５】
本発明は、このような状況のもとでなされたもので、過電圧保護素子を追加することなく、サージによる過大電圧に対する耐量を上げることを目的とする。
【課題を解決するための手段】
【０００６】
上述した課題を解決するために、本発明は、以下の構成を備える。
【０００７】
（１）交流電源から入力された電圧を整流する整流部と、前記整流部により整流された電圧を平滑する平滑部と、前記平滑部により平滑された電圧が入力され、スイッチング動作を行うことにより負荷に電力を供給する駆動部と、前記駆動部を制御する制御手段と、前記交流電源から入力された電圧を検出する電圧検出部と、を備え、前記制御手段は、前記駆動部が停止している状態において、前記電圧検出部により検出した電圧が所定の電圧を超えた場合に、前記駆動部のスイッチング動作を開始させることを特徴とする電源装置。
【０００８】
（２）記録材上の未定着のトナーを定着させる定着器を備える画像形成装置であって、交流電源から入力された電圧を整流する整流部と、前記整流部により整流された電圧を平滑する平滑部と、前記平滑部により平滑された電圧が入力され、スイッチング動作を行うことにより前記定着器に電力を供給する駆動部と、前記駆動部を制御する制御手段と、前記交流電源から入力された電圧を検出する電圧検出部と、を備え、前記制御手段は、前記駆動部が停止している状態において、前記電圧検出部により検出した電圧が所定の電圧を超えた場合に、前記駆動部のスイッチング動作を開始させることを特徴とする画像形成装置。
【発明の効果】
【０００９】
本発明によれば、過電圧保護素子を追加することなく、サージによる過大電圧に対する耐量を上げることができる。
【図面の簡単な説明】
【００１０】
【図１】実施の形態の画像形成装置の構成図
【図２】実施の形態のＩＨ定着電源周辺のブロック図
【図３】実施の形態のサージ検出処理におけるタイミングチャート
【図４】実施の形態のサージ検出処理を示すフローチャート
【発明を実施するための形態】
【００１１】
（実施の形態）
［画像形成装置］
図１は実施の形態における画像形成装置の概略構成図である。画像形成装置であるプリンタ本体９００は、図中反時計回り方向に回転する感光ドラム９０１ｙ、９０１ｍ、９０１ｃ、９０１ｋを備えている。ここで、符号の添え字ｙ、ｍ、ｃ、ｋはそれぞれイエロー、マゼンタ、シアン、ブラックの色を表しており、特定の色を説明する場合を除き、以下、ｙ、ｍ、ｃ、ｋを省略して説明する。感光ドラム９０１は、帯電ローラー９０２により表面が均一に帯電される。均一に帯電された感光ドラム９０１の表面に、レーザーユニット９０３からレーザー光が照射される。これにより、感光ドラム９０１の表面に画像データに応じた潜像画像が形成される。感光ドラム９０１の回転に伴って静電潜像が形成された面が現像スリーブ９０４の位置を通過すると、感光ドラム９０１上の潜像画像がトナーによって現像され、トナー像が形成される。感光ドラム９０１が更に回転すると、トナー像が形成された感光ドラム９０１の表面が中間転写ベルト９０６と接する。１次転写ローラー９０５に電圧が印加されることにより、感光ドラム９０１の表面に形成されたトナー像が中間転写ベルト９０６の表面に転写される。このような転写が、イエロー、マゼンタ、シアン、ブラックの順に行われ、４色のトナー像が中間転写ベルト９０６の表面に重畳して転写される。
【００１２】
こうして中間転写ベルト９０６には、イエローとマゼンタとシアンとブラックのトナーで形成されたフルカラーの画像が形成される。そして、中間転写ベルト９０６が２次転写内ローラー９０７と２次転写外ローラー９０８とで形成されたニップ部を通過する。そのときに、中間転写ベルト９０６と２次転写外ローラー９０８との間を用紙カセット９１０から給紙された記録材である用紙９１３が挟まれて搬送され、中間転写ベルト９０６上のフルカラーのトナー像が、用紙９１３の表面に転写される。２次転写内ローラー９０７と２次転写外ローラー９０８とのニップ部を通過した用紙９１３は、定着器９１１に搬送され、用紙９１３上（記録材上）の未定着のトナー像が定着される。用紙９１３は、更に搬送されてプリンタ本体９００外に排出され、積載される。中間転写ベルト９０６は、２次転写内ローラー９０７、２次転写外ローラー９０８のニップ部を通過した後、クリーナー９０９により中間転写ベルト９０６上を清掃される。
【００１３】
ここで、定着器９１１は誘導加熱定着器（以降、ＩＨ定着器とする）であり、ＩＨ定着電源２００から電力を供給されることにより発熱する。ＩＨ定着電源２００に対して商用の交流電源１００から電力が供給され、ＣＰＵ２０１は、ＩＨ定着電源２００の制御を行っている。これにより、ＣＰＵ２０１は、定着器９１１に対する電力の供給量の調整を行う。ＩＨ定着電源２００の詳細は図２において後述する。
【００１４】
ＣＰＵ２０１はプリンタ本体９００全体を制御している。ＣＰＵ２０１は、ＩＨ定着電源２００から入力電圧、入力電流の検出信号を受信するとともに、スイッチング部４０４（図２参照）を制御する駆動信号１及び駆動信号２を出力し、ＩＨ定着電源２００を制御する。これにより、ＣＰＵ２０１は、定着器９１１に対して所定の電力を供給している。ＣＰＵ２０１によるＩＨ定着電源２００の制御については、タイミングチャートを図３において後述し、フローチャートを図４において後述する。
【００１５】
［ＩＨ定着器］
図２に、実施の形態におけるＩＨ定着電源２００周辺の構成のブロック図を示す。ＩＨ定着電源２００は、入力検出部３０１、整流部３０２、平滑部３０３、駆動部３０４、によって構成されている。ここで、入力検出部３０１は、電圧検出部である入力電圧検出部４０１と、電流検出部である入力電流検出部４０２と、で構成されている。駆動部３０４は、共振コンデンサ４０３と、スイッチング部４０４とで構成されており、スイッチング部４０４が高周波のスイッチング動作を行うことにより負荷としてのＩＨコイル２０２に電力を供給する。また、定着器９１１は、ＩＨコイル２０２と、温度検知手段である温度検知部２０３とで構成されている。制御手段であるＣＰＵ２０１は、制御部５０１、判別部５０２、計測部であるカウンタ５０３で構成されている。
【００１６】
入力電圧検出部４０１は、検出した入力電圧検出値をＣＰＵ２０１に出力する。入力電流検出部４０２は、検出した入力電流検出値をＣＰＵ２０１に出力する。制御部５０１は、入力電圧検出値及び入力電流検出値に基づき、ＩＨ定着電源２００の備える駆動部３０４のスイッチング部４０４に対して、電力供給を制御する駆動信号１、駆動信号２と、スイッチング動作のオン、オフ動作を制御するＲＭＴ信号とを出力する。判別部５０２は、入力電圧検出値に基づきサージの有無を判別する。また、判別部５０２は、制御部５０１から出力されたＲＭＴ信号に基づきＩＨ定着電源２００の動作状態を判別する。更に判別部５０２は、定着器９１１の備える温度検知部２０３により検知された温度検知値に基づき定着器９１１の温度状態を判別する。カウンタ５０３は、判別部５０２によってサージの発生を検知した回数をカウントし、カウントした結果を制御部５０１に出力する。カウンタ５０３は、例えば１回のサージであっても、１回のサージの間にサージと判断される電圧の変動が所定回数あれば、カウントした所定回数を制御部５０１に出力する。制御部５０１は、所定の時間内におけるサージを検知した回数に応じてスイッチング部４０４の動作を制御する。
【００１７】
入力電圧検出部４０１と入力電流検出部４０２は、交流電源１００からＩＨ定着電源２００に対する入力電圧、入力電流をそれぞれ検出し、検出結果をＣＰＵ２０１に出力する。整流部３０２は、交流電源１００によって交流電力が供給され、全波整流した波形を出力する。平滑部３０３は、インダクタＬ１と容量素子Ｃ１とで構成され、前述した整流部３０２によって全波整流された波形が入力され、全波整流波形を平滑し、直流の波形を出力する。
【００１８】
駆動部３０４は、スイッチング部４０４が、共振コンデンサ４０３と、ＩＨコイル２０２の共振を制御し、ＩＨコイル２０２に対する電力供給を制御する。ＣＰＵ２０１が備える判別部５０２は、ＲＭＴ信号がオフのときＩＨ定着電源２００が停止状態にあるものと判断し、かつ入力電圧検出値が所定の閾値を超えたときサージが入力されたものと判断して、制御部５０１に対し判別結果を出力する。判別部５０２による判別結果を受け取った制御部５０１は、ＲＭＴ信号をオンにするとともに駆動部３０４の備えるスイッチング部４０４に対して駆動信号１、駆動信号２による高周波スイッチング動作を所定時間、行う。このときの駆動信号１、駆動信号２は、ＩＨ定着電源２００が通常の動作を開始する際に電力供給を開始する場合と同様の動作をするものとする。
【００１９】
また、制御部５０１は、判別部５０２によりサージであることを判別した回数が、所定の時間内において予め定めた回数を超えた場合、前述のようなサージ判別時の動作を行わないものとする。制御部５０１は、判別部５０２により判別したサージの回数が、所定の時間内において予め定めた回数以内であった場合、雷等の瞬時的なサージであるものと判断できるため、上述したサージ判別時の動作を行う。しかし、判別部５０２により繰り返しサージを判別している場合は、例えば使用環境の電源事情等の何らかの原因によって不安定な状態となっていると考えられる。このため、本実施の形態では、制御部５０１は、判別部５０２により判別したサージの回数が所定の時間内に予め定めた回数を超えた場合には、サージ判別時の動作を行わないこととしている。
【００２０】
その後、判別部５０２が所定の時間内にサージを判別した回数が予め定めた回数以下となった場合、サージ判別時の制御部５０１の動作を再開するものとする。なお、上述した回数は少なくとも２回以上であり、上述した所定の時間は雷サージの間隔よりも十分長い時間とする。
【００２１】
［サージ入力時のタイミングチャート］
図３は、ＩＨ定着電源２００に対しサージが入力されたときにおける、従来構成と実施の形態の構成のタイミングチャートである。図３で、（ｉ）は交流電源１００の電圧Ｖａｃの波形を示し、（ｉｉ）は入力電圧検出部４０１により交流電圧をモニタすることで得た入力電圧検出値Ｖ１を示す。（ｉｉｉ）は駆動部３０４を構成するスイッチング部４０４を駆動する駆動信号１（ｐ１）の波形を示す。なお、駆動信号２は、駆動信号１がオンのときにオフとなり、駆動信号１がオンのときにオフとなる信号であり、図示を省略する。（ｉｖ）は従来構成における平滑部３０３の容量素子Ｃ１の両端電圧Ｖｃ１を示し、（ｖ）は本実施の形態における平滑部３０３の容量素子Ｃ１の両端電圧Ｖｃ２を示す。横軸はいずれも時間を示し、ｔ１〜ｔ４は時刻を示している。
【００２２】
ここでは、ＩＨ定着電源２００によるＩＨコイル２０２への電力供給が停止している状態とし、時刻ｔ１においてサージによる過大電圧が印加されたもの（サージ入力）として説明を行う。ＣＰＵ２０１は、入力電圧検出値Ｖ１に基づいて交流電源１００の電圧Ｖａｃをモニタしている。時刻ｔ１において電圧Ｖａｃにサージ電圧が印加されると、入力電圧検出部４０１から入力される入力電圧検出値Ｖ１が上昇を始める。ＣＰＵ２０１は、時刻ｔ２において入力電圧検出値Ｖ１が所定の閾値Ｖｔｈを超えたと判断したとき（Ｖ１＞Ｖｔｈ）、ＩＨ定着電源２００に対してサージによる過大電圧が印加されているものと判断する。このとき、入力電圧検出値Ｖ１が閾値Ｖｔｈを超えてから所定時間後の時刻ｔ３において、制御部５０１は駆動信号１、駆動信号２の出力を開始し、駆動部３０４の制御を開始する。ＣＰＵ２０１がサージを検知し、駆動信号１、駆動信号２による駆動部３０４の制御を開始してから所定時間Ｔａが経過した後の時刻ｔ４において、駆動信号１、駆動信号２を停止する。このとき、時刻ｔ３から時刻ｔ４までの所定時間Ｔａは、サージ電圧によって平滑部３０３の容量素子Ｃ１に対し充電されていた過大電圧が放電されるまでに要する十分な時間であり、放電に要する時間に応じて決定される（図３（ｖ）参照）。
【００２３】
本実施の形態の示す制御方式を用いることで、サージ入力時のＩＨ定着電源２００の平滑部３０３における容量素子Ｃ１は、次のようになる。すなわち、図３（ｉｖ）に示す従来構成おける容量素子Ｃ１の両端電圧Ｖｃ１の波形に対し、（ｖ）に示す本実施の形態の構成における容量素子Ｃ１の両端電圧Ｖｃ２の波形となる。本実施の形態では、サージ電圧によって充電された容量素子Ｃ１を、従来の構成よりも早く放電することができる。本実施の形態では、サージによる過大電圧が維持される時間を従来に比較して短縮することが可能になる。これにより、サージに対する整流部３０２の耐量が増加するため、これまで保護素子に頼っていた耐量を削減することが可能になり、部品数削減に伴う実装面積の削減と、コストダウンが可能になる。
【００２４】
［サージ入力時の保護処理］
図４は、本実施の形態におけるサージに対する保護処理を示すフローチャートである。交流電源１００による電力供給時において、ステップ（以下、ＳＴとする）１０００でＣＰＵ２０１は、判別部５０２によりＩＨ定着電源２００のオン又はオフを制御するＲＭＴ信号の状態をモニタし、ＲＭＴ信号がオフとなったか否かを判断する。ＳＴ１０００でＣＰＵ２０１は、ＲＭＴ信号がオンであると判断した場合、ＩＨ定着電源２００が動作状態にあると判断して処理をＳＴ１０００に戻す。ＳＴ１０００でＣＰＵ２０１は、ＲＭＴ信号がオフであると判断した場合、ＩＨ定着電源２００が停止状態にあるものと判断し、処理をＳＴ１００１に進める。ＳＴ１００１でＣＰＵ２０１は、入力電圧検出部４０１により検出された入力電圧検出値Ｖ１が所定の閾値Ｖｔｈを超えたか否かを判断する。
【００２５】
ＳＴ１００１でＣＰＵ２０１は、入力電圧検出値Ｖ１が所定の閾値Ｖｔｈ以下であると判断した場合、ＩＨ定着電源２００に対してサージ電圧は印加されていないものと判断して、処理をＳＴ１０００に戻す。ＳＴ１００１でＣＰＵ２０１は、入力電圧検出値Ｖ１が所定の閾値Ｖｔｈを超えたと判断した場合、ＩＨ定着電源２００に対してサージ電圧が印加されているものと判断し、処理をＳＴ１００２に進める。
【００２６】
ＳＴ１００２でＣＰＵ２０１は、カウンタ５０３によりカウントしたサージの発生回数が所定回数以下であるか否かを判断する。ＳＴ１００２でＣＰＵ２０１は、カウンタ５０３によるサージのカウント回数が所定回数以下ではないと判断した場合、ＲＭＴ信号をオンにすることなく、すなわち、駆動部３０４を駆動させることなく、処理をＳＴ１０００に戻す。ＳＴ１００２でＣＰＵ２０１は、カウンタ５０３によるサージのカウント回数が所定回数以下であると判断した場合、処理をＳＴ１００３に進める。ＳＴ１００３でＣＰＵ２０１は、ＩＨ定着電源２００を動作可能とするためにＲＭＴ信号をオンにする。ＳＴ１００４でＣＰＵ２０１は、サージにより平滑部３０３に印加された過大電圧を短時間で放電するために、駆動部３０４を制御する駆動信号１、駆動信号２の出力を開始し、駆動部３０４を動作状態にする（図３  時刻ｔ３）。また、ＣＰＵ２０１はタイマ（不図示）をリセットしてスタートさせる。このときの駆動信号１、駆動信号２は、ＩＨ定着電源２００が通常時に動作する場合と同様のパルス幅で制御するものとする。
【００２７】
ＳＴ１００５でＣＰＵ２０１は、タイマを参照することにより、判別部５０２によってサージを検知し、駆動信号１、駆動信号２の出力を開始してから所定時間Ｔａが経過したか否かを判断する。ＳＴ１００５でＣＰＵ２０１は、所定時間Ｔａが経過していないと判断した場合、処理をＳＴ１００４に戻し、駆動信号１、駆動信号２の出力を継続する。ＳＴ１００５でＣＰＵ２０１は、所定時間Ｔａが経過したと判断した場合、平滑部３０３の容量素子Ｃ１の両端電圧が十分に放電されたものと判断し、処理をＳＴ１００６に進める。ＳＴ１００６でＣＰＵ２０１は、駆動信号１、駆動信号２の出力を停止する。以降は、ＲＭＴ信号の検出（ＳＴ１０００）に戻り、同様の制御を繰り返す。
【００２８】
ここではＩＨ定着電源２００の駆動状態を判別するものとしてＲＭＴ信号を用いたが、入力電流検出部４０２の検出結果を用い、電流検出値によってＩＨ定着電源２００の動作状態を判別してもよい。また、ＣＰＵ２０１内部にＩＨ定着電源２００の動作状態を判別する信号を備えてもよい。
【００２９】
また、ＩＨ定着電源２００が停止状態のときにサージ電圧が印加されたと判断したとき、駆動部３０４の制御を、通常のＩＨ定着電源２００の制御と同様に行うものとして説明したが、これをある所定のパルス幅で固定するものとしてもよい。
【００３０】
また前述と同様に、ＩＨ定着電源２００が停止状態のときにサージ電圧が印加されたと判断したとき、連続して所定時間駆動させずに、ある一定のオフ期間を持たせた繰り返しのパルスとしてもよい。
【００３１】
また、本実施の形態の説明では、判別部５０２によりサージを検知したときにおける、制御部５０１の駆動信号の出力時間を予め定めた所定時間Ｔａとした。しかし、これを図２で示した定着器９１１の温度検知部２０３の検知結果に基づき、サージ検知時における制御部５０１の駆動信号の出力時間を定めてもよい。具体的には、所定時間Ｔａを、温度検知部２０３の温度検知値が所定の温度を上回らない範囲に設定する。制御部５０１が駆動信号を出力してスイッチング部４０４を動作させると、定着器９１１の温度は上昇する。ここで、所定時間Ｔａを設定する際に、温度検知部２０３の温度検知値が所定の温度を上回らないという制限を設けなかった場合、サージに対する制御によって定着器９１１の温度が上昇を続けることとなる。このため、定着器９１１の温度が所定温度以上の場合には、サージに対する制御よりも定着器９１１の温度を上昇させないようにする制御の方を優先させる。
【００３２】
また、ここではサージを検知した際に駆動信号１、駆動信号２の両方を出力するものとして説明した。しかし、どちらか一方の駆動信号を出力してもよい。このとき、駆動信号１、駆動信号２について、いずれか一方の駆動信号がＲＭＴ信号のオン／オフによって制御されるものとし、サージを検知したときにはもう一方の制御されない側の駆動信号を出力するものとする。このように構成することで、ＲＭＴ信号のオン／オフを切り替えない構成を取ることも可能である。
【００３３】
また、本実施の形態ではサージ電圧の判別基準をある閾値（Ｖｔｈ）を上回った場合として説明していたが、サージの検知までに所定の時定数を設け、かつ所定の時間内に繰り返しサージを検知した場合は本制御を行わない構成を取ることも可能である。
【００３４】
以上説明したように、ＩＨ定着電源２００は、停止状態においてサージを検知した際に、駆動部３０４を動作させることで、平滑部３０３の容量素子Ｃ１の両端電圧が即座に放電される。このため、整流部３０２や駆動部３０４といった１次側素子のサージ耐量を上げることができる。また、本実施の形態ではＩＨ定着電源について説明したが、整流部を備え、駆動部を制御することで電力供給を行う構成を持つ電源であれば、同様にサージ耐量を上げる効果を得る。
【００３５】
従来、サージに対する保護機能として、バリスタやサージアブソーバといった保護素子によって、サージに対する耐量を確保する方法があった。しかし、この場合、素子数の増加によるコストアップと基板面積が増加してしまっていた。これに対し、本実施の形態では、従来の構成を変更することなく、サージに対する耐量を上げることが可能になるため、サージに対する保護素子の数を、必要最小限に抑えることが可能になる。以上より、保護素子で担っていたサージに対する耐量のうち、本実施の形態よって上げることのできる耐量分の保護素子を削減することが可能になり、保護構成の最適化を図ることができる。これにより、コストダウンと部品数削減に伴う回路規模縮小が可能となる。以上、実施の形態によれば、過電圧保護素子を追加することなく、サージによる過大電圧に対する耐量を上げることができる。
【図１】
2018160965.tif 000003
【図２】
2018160965.tif 000004
【図３】
2018160965.tif 000005
【図４】
2018160965.tif 000006